(57)【要約】【課題】発言要求を行うタイミングを容易に知ることができ、複数端末による通信を行っても受信データの変わり目に不用意なデータを再生することがない通信システムを提供する。【解決手段】この通信システムは、複数の携帯端末とサーバとを接続してＰｏＣ通信を行う通信システムであって、前記携帯端末の発言権の交代のときに、発言権を獲得しているユーザあるいは発言権を放棄したユーザを識別可能としたデータ、あるは、最初に発言したときのデータに悪影響を及ぼさないようなデータを複数の携帯端末へ配信する。【選択図】図６
2007068078.tif 000002
【特許請求の範囲】
【請求項１】
複数の携帯端末とサーバとを接続してＰｏＣ（Push-to-Talk over Cellular）による通信を行う通信システムにおいて、前記携帯端末の発言権の交代のときに、発言権を獲得しているユーザあるいは発言権を放棄したユーザを識別可能としたデータを配信することを特徴とする通信システム。
【請求項２】
複数の携帯端末とサーバとを接続してＰｏＣによる通信を行う通信システムにおいて、前記携帯端末の発言権の交代のときに、最初に発言したときのデータに悪影響を及ぼさないようなデータを配信することを特徴とする通信システム。
【請求項３】
請求項１または２に記載の通信システムにおいて、前記携帯端末が発言権を得たときに、ミュートデータを送出してから最初の発言データを送出するようにしたことを特徴とする通信システム。
【請求項４】
請求項１、２または３に記載の通信システムにおいて、前記携帯端末が発言権を放棄したときに、ミュートデータを送出するようにしたことを特徴とする通信システム。
【請求項５】
請求項１または２に記載の通信システムにおいて、前記携帯端末が発言権を得たときに、前記携帯端末のユーザに固有のデータを送出してから最初の発言データを送出するようにしたことを特徴とする通信システム。
【請求項６】
請求項３または５に記載の通信システムにおいて、発言権を獲得した後、ミュートデータあるいはユーザ固有のデータの送出を開始して、実際の発言が開始されたときに停止することを特徴とする通信システム。
【請求項７】
請求項１、２または５に記載の通信システムにおいて、前記携帯端末が発言権を放棄したときに、前記携帯端末のユーザに固有のデータを送出するようにしたことを特徴とする通信システム。
【請求項８】
請求項５または７に記載の通信システムにおいて、前記ユーザ固有のデータを複数有し、該複数のユーザ固有のデータの中から順番にまたはランダムに送出することを特徴とする通信システム。
【請求項９】
請求項１乃至８のいずれかの通信システムにおいて、前記携帯端末が発言権を獲得したとき、あるいは、発言権を放棄したときに、前記ミュートデータと前記ユーザ固有のデータをあわせて送出するようにしたことを特徴とする通信システム。
【請求項１０】
請求項４乃至９のいずれかの通信システムにおいて、発言権を放棄し、予め設定された一定の再生時間もしくは一定再生回数、前記ミュートデータあるいはユーザ固有のデータを送出終了後に停止することを特徴とする通信システム。
【請求項１１】
請求項４乃至９のいずれかの通信システムにおいて、予め設定された一定の再生時間もしくは一定再生回数、前記ミュートデータあるいはユーザ固有のデータを送出してから発言権を放棄することを特徴とする通信システム。
【請求項１２】
請求項４乃至９のいずれかの通信システムにおいて、発言権を放棄し、前記ミュートデータあるいはユーザ固有のデータを繰り返し継続して送出し、発言権要求がされたときに停止することを特徴とする通信システム。
【請求項１３】
請求項１乃至１２のいずれかに記載の通信システムにおいて、前記ミュートデータおよび前記ユーザ固有のデータを前記携帯端末から送出することを特徴とする通信システム。
【請求項１４】
請求項１乃至１２のいずれかに記載の通信システムにおいて、前記ミュートデータおよび前記ユーザ固有のデータを前記サーバから送出することを特徴とする通信システム。
【請求項１５】
請求項２、３または４に記載の通信システムにおいて、前記悪影響を及ぼさないデータを示す特定のデータを配信して、該特定データを受信した前記携帯端末が悪影響を及ぼさないように出力するようにしたことを特徴とする通信システム。
【請求項１６】
サーバと接続してＰｏＣによる通信を行う携帯端末において、ＰＴＴ（Push-to-Talk）技術及びサービスを利用するためのＰＴＴスイッチが押されたか否かの状態を検出するＰＴＴスイッチ状態検出部と、前記ＰＴＴスイッチ状態検出部でＰＴＴスイッチが押されたことを検出し、前記サーバに発言権獲得要求を送出し、前記サーバから発言許可を受け取ったときに、ミュートデータあるいは当該携帯端末のユーザの固有データを送出する発言権獲得部と、を備えることを特徴とする携帯端末。
【請求項１７】
複数の携帯端末を接続してＰｏＣによる通信を行うサーバにおいて、前記携帯端末から発言権要求を受信して、発言の可否を返信する場合、発言の許可を与えるとともに、ミュートデータあるいは発言を許可した携帯端末のユーザに固有なデータを前記複数の携帯端末に配信する発言権管理部を備えることを特徴とするサーバ。
【請求項１８】
複数の携帯端末とサーバとを接続してＰｏＣによる通信を行う通信方法において、前記携帯端末の発言権の交代のときに、ミュートデータあるいは、発言権を獲得しているユーザまたは発言権を放棄したユーザを識別可能としたデータを配信することを特徴とする通信方法。
【発明の詳細な説明】
【技術分野】
【０００１】
本発明は、通信システム、携帯端末、サーバおよび通信方法に関し、特に、ＰｏＣ通信による複数の携帯端末の通信に関する。
【背景技術】
【０００２】
Push-to-Talk（ＰＴＴと略記する）技術及びサービスは、インターネットプロトコルを利用してデータ通信網で通話を行う、いわゆるＶｏＩＰ（Voice over IP）の１つであり、携帯電話やＰＤＡ（Personal Digital Assistant）といった携帯端末向けに開発されている（特許文献１参照）。特に、携帯電話向けでは、「Push-to-Talk over Cellular（ＰｏＣ）Phase One」が提出され、業界団体であるOpen Mobile Alliance（ＯＭＡ）で標準化が進められている。
【０００３】
ＰＴＴは、会話を開始するためには、電話番号などの固有な番号で呼び出す代わりに、事前に登録した通話可能な相手を選択して通話ボタンを押すと、１秒以内で接続でき、トランシーバのように一方通行の通話を行い、通話ボタンを離すと、相手が通話ボタンを押して通話する。これを、交互に実行することによって、相互の会話が行われる。ＰＴＴによると、ダイヤルやネットワークへの接続が不要なため、通常通話よりもスピーディで安価に利用できる。
【０００４】
また、上記のように、１対１のやり取りだけではなく、話す相手をグループ化して複数の相手との同時接続も可能である。この場合は、通話ボタンを押している端末からの音声が、残りの全端末に送信されるので、電話会議のように発信者からのメッセージを同時に聞くことができる。
【特許文献１】特開２００５−１１７１９７号公報
【発明の開示】
【発明が解決しようとする課題】
【０００５】
ところで、ＰｏＣを応用してＴＶ電話や静止画像の伝送を行う場合、次々に発言者が変わるに従って受信画像も次々に変化したものとなる。
ここで、ある発言者の発言が終了し、次の発言者のデータを受信する変わり目に着目すると、前の発言者のデータが残ってしまい、次の受信データの開始時に悪影響を及ぼしてしまう恐れがあった。
【０００６】
また、発言が終了すると、回線が無音や無信号となってしまう。この場合、誰かが発言権をもったまま無音であるのか、誰も発言要求を行っていないために回線がクリアになっているのかの判断がつかず発言要求を行うタイミングが計れない課題があった。
【０００７】
本発明は、上述のような実情を考慮してなされたものであって、発言要求を行うタイミングを容易に知ることができ、複数端末による通信を行っても受信データの変わり目に不用意なデータを再生することがない通信システム、携帯端末、サーバおよび通信方法を提供することを目的とする。
【課題を解決するための手段】
【０００８】
上記の課題を解決するために、本発明では次のような構成とした。
複数の携帯端末とサーバとを接続してＰｏＣによる通信を行うときに、前記携帯端末の発言権の交代のときに、発言権を獲得しているユーザあるいは発言権を放棄したユーザを識別可能とした付加データ、あるいは、最初に発言したときのデータに悪影響を及ぼさないような付加データを配信するようにした。
また、前記悪影響を及ぼさないデータを示す特定のデータを配信して、該特定データを受信した前記携帯端末が悪影響を及ぼさないように出力するようにしてもよい。
この付加データを送出する時点は、発言権が獲得された時点、発言権が放棄された時点、あるいは、その両方の時点のいずれかである。
【０００９】
送信される付加データとしては、ミュートデータやユーザ固有のデータ（例えば、ユーザに固有なロゴ、マーク、ビデオクリップ、アニメーション、歌や効果音等）があり、１つ以上を組み合わせて用いてもよい。
【００１０】
これらの付加データは、固定のものを配信するようにしてもよいし、また、選択された複数の付加データを、順番にあるいはランダムに配信するようにしてもよい。
また、この付加データの送出を、予め設定された一定の再生時間もしくは一定再生回数行ってから停止してもよいし、また、継続して配信し、実際に発言が行われた時点で停止するようにしてもよい。
【００１１】
この付加データを携帯端末に保持しておき、発言権要求や発言権放棄の際に、携帯端末からサーバへ送出するようにして、他の携帯端末へ配信するようにしてもよい。
あるいは、この付加データをサーバに保持しておき、携帯端末からの発言権要求や発言権放棄の際に、サーバから配信するようにしてもよい。
【発明の効果】
【００１２】
本発明によれば、ＰｏＣ通信において、発言権要求を行うタイミングを容易に知ることができる。
また、複数の携帯端末による通信を行っても受信データの変わり目に不用意なデータ（映像・音声の乱れ、意図しない映像・音声など）を再生することがない。
【発明を実施するための最良の形態】
【００１３】
以下、図面を参照して、本発明の通信システム、携帯端末、サーバおよび通信方法に係る好適な実施形態について説明する。
図１は、本発明に係る通信システムのシステム構成を示す図であり、同図において、通信システムは複数の基地局３００と、複数の携帯端末１００と、基地局制御装置４００と、ＰｏＣサーバ２００を含んでいる。基地局３００は基地ゾーン（基地局の通信エリア）内の携帯端末１００同士が通信を行うときに中継局として動作すると共に、基地ゾーン内の携帯端末１００を相手局として通信を行う。基地局制御装置４００は、これらの複数の基地局３００を管理し、異なる基地局３００に接続された携帯端末１００間の通信を中継する。
【００１４】
ＰｏＣサーバ２００は、基地局制御装置４００とＩＰネットワークで接続され、ＰｏＣユーザとグループとを管理し、ＰｏＣ制御機能またはＰｏＣ参加機能を実行することによって、ＰｏＣサービスのためのアプリケーション・レベル・ネットワーク機能を実現する。また、ＰｏＣ制御機能を実行しているＰｏＣサーバ２００は携帯端末１００の参加者数だけのＳＩＰセッションを持ち、携帯端末１００からの発言の制御は１つのＰｏＣセッションで行う。ＰｏＣ制御機能とＰｏＣ参加機能が通信を行い、ＰｏＣ参加機能から携帯端末１００へ直接通信する。
【００１５】
次に、図２を用いて携帯端末１００の構成を説明する。携帯端末１００は、無線電波を介して基地局と無線通信を行うときに、音声、文字、画像および映像データなどを送受信するアンテナ１と、受信時は、基地局からアンテナ１を介して受信したデータを復調し、送信時は、通信制御部３から送られてくるデータを変調して増幅し、アンテナ１を介して基地局に送信する無線部２と、無線部２が復調した受信データを所定の通信プロトコルに基づいて主制御部１２に送る通信制御部３と、数字や文字等のデータ入力や機能選択等の指示を含む各種情報を入力する操作部４と、制御プログラムや固定データ等を記憶するＲＯＭ、ＣＰＵの作業用記憶領域であるＲＡＭ等の半導体メモリ及びハードディスクなどからなり、受信又は入力された各種情報（文字、画像、音声、音および映像等）を記憶する記憶部５と、ＰＴＴによる通信の開始と終了を指示するＰＴＴスイッチ６と、無線部２によって送受信される映像を所定の信号処理をする映像処理部７と、操作部４によって入力された情報や記憶部５から読み出された情報や受信した映像情報を表示する表示部８と、無線部２によって送受信される無線信号に含まれる音声信号に所定の信号処理を施す音声処理部９と、ユーザから音声信号を入力するマイク１０と、受信した音声や操作音等を鳴らすスピーカ１１と、機器全体の動作を制御する主制御部１２とからなっている。
【００１６】
ＰＴＴスイッチ６は、ＰＴＴ技術及びサービスを利用するためのスイッチであり、図３に示すように携帯端末１００の側面に設けられ、発言要求を行うときや、データを送信するときに押され、発言やデータ送信が終了したときに放すように操作する。
【００１７】
図４および図５を用いて、本発明の基となる通信システムの動作について説明する。
図４は、端末Ａが同じグループの端末Ｂ，Ｃ，ＤへＰｏＣ通信するときの手順を示しており、図５は各端末とＰｏＣサーバ間でのデータの流れを示している。
まず、端末Ａ上でＰｏＣアプリケーションを呼び出し、表示された電話帳から通信相手のユーザまたはグループを選択し、ＰＴＴスイッチを押す。
端末ＡでＰＴＴスイッチが押されると、発言権要求がＰｏＣサーバに送られる。
ＰｏＣサーバは、選択されたユーザまたはグループ内のユーザが誰も発言しておらず、他の端末から発言権要求が無かった場合、端末Ａの発言を許可し、発言許可を端末Ａへ返信する。
【００１８】
発言を許可された端末Ａは、データ（音声、画像、テキストや映像等）をＰｏＣサーバへ送信する。
ＰｏＣサーバは、端末Ａの同じグループの他のメンバの端末（Ｂ，Ｃ，Ｄ）へ送られてきたデータを送信する。
端末Ｂ、端末Ｃおよび端末ＤでＰｏＣアプリケーションが起動しており、同じグループが選択されているときは、ＰｏＣサーバからのデータが受信のみになっており、端末Ａが送信したデータを受信して、表示部やスピーカへ出力する。これにより、端末Ａが送信した同じ内容をリアルタイムで受信して表示することができる。
端末ＡのユーザがＰＴＴスイッチを放すと、発言権放棄がＰｏＣサーバへ送信される。
ＰｏＣサーバでは、端末Ａから発言権放棄が送られてくると、端末Ａの発言権を消滅させて、他の端末からの発言要求を受け付けられるようになる。
【００１９】
次に、端末Ｂが発言したいときには、同様にしてＰＴＴスイッチを押して、発言要求を行い、許可された場合にデータ（音声や画像）を送信する。端末Ｂが送信したデータは、端末Ａ、端末Ｃおよび端末Ｄで受信のみ可能である。
以降、発言権を要求するときには、ＰＴＴスイッチを押し、発言放棄の時にはＰＴＴスイッチを放すことによって、グループ内の各ユーザ間で音声や映像等のデータを交換することができる。
【００２０】
＜実施形態１＞
従来のＰｏＣを利用した通信システムでは、ＴＶ電話や静止画像の伝送を行う場合、次々に発言者が変わるに従って受信画像も次々に変化したものとなる。
ここで、ある発言者の発言が終了し、次の発言者のデータを受信する変わり目に着目すると、前の発言者のデータが残ってしまい、次の受信データの開始時に悪影響を及ぼしてしまう恐れがあった。
また、発言が終了すると、回線が無音や無信号となってしまう。この場合、誰かが発言権をもったまま無音であるのか、誰も発言要求を行っていないために回線がクリアになっているのかの判断がつかず発言要求を行うタイミングが計れない課題があった。
【００２１】
本実施形態１では、これらの課題を解決するために、発言権獲得あるいは発言権放棄されたときに、送信するデータの前後にミュートデータやユーザが指定したデータを挿入するようにして、たとえ、その挿入データが破壊されたように聞こえたり見えたりしたとしても、本来転送するデータには悪影響を及ぼさない。
また、送信するデータの前後にユーザ固有のデータを挿入することによって、通信するユーザ、あるいは発言権を放棄したユーザが誰であるかを識別可能にした。
【００２２】
図６は、本発明の実施形態１に係る通信システムの機能構成を示すブロック図である。同図において、携帯端末１００は、ＰｏＣクライアントの機能に加えて、ＰＴＴスイッチ状態検出部１１０、発言権獲得部１２０、発言部１３０、受信部１４０、出力部１５０、付加データ送信部１６０、付加データ記憶部１７０、発言権放棄部１８０とからなっている。
【００２３】
ＰＴＴスイッチ状態検出部１１０は、携帯端末１００のＰＴＴスイッチ６をユーザが押したことを検知し、発言権要求信号を発言権獲得部１２０へ出力する。また、ＰＴＴスイッチ６が放されたことを検知すると、発言権放棄信号を発言権放棄部１８０へ出力する。
【００２４】
発言権獲得部１２０は、ＰＴＴスイッチ状態検出部１１０から渡された発言権要求信号を受信して、ＰｏＣサーバ２００へ発言権要求を送信する。この発言権要求には、発言権要求を識別する情報、通信相手のユーザを識別する情報あるいはグループを識別する情報が付加される。
ＰｏＣサーバ２００から発言許可が返信されてきた場合、出力部１５０は表示部８またはスピーカ１１へ発言許可の旨の出力を行って、発言部１３０を起動する。
また、ＰｏＣサーバ２００から発言不許可が返信されてきた場合、出力部１５０は表示部８またはスピーカ１１に発言不許可の旨の出力を行って、ユーザがＰＴＴスイッチ６を放すのを確認して、再度ＰＴＴスイッチ６が押されるのを待つ。
【００２５】
発言部１３０は、発言権獲得部１２０から起動されると、ユーザの送りたいデータ（音声、画像、テキストや映像等）をＰｏＣサーバ２００へ送信する。このデータには、発言であることを識別する情報、通信相手のユーザを識別する情報あるいはグループを識別する情報が付加される。
マイク１０を使ってしゃべることによって、マイク１０で収集した音声がＰｏＣサーバ２００へ送信される。または、映像を送りたいときには、携帯端末１００に接続した撮像装置で撮影された映像や音声がＰｏＣサーバ２００へ送られる。
【００２６】
受信部１４０は、当該携帯端末１００が発言権を獲得していないときには、ＰｏＣサーバ２００から送られてきたデータを受信する。
出力部１５０は、受信部１４０で受信したデータを、音声の場合にはスピーカ１１へ出力し、映像や画像の場合には表示部８へ出力する。
【００２７】
発言権放棄部１８０は、ＰＴＴスイッチ状態検出部１１０から渡された発言権放棄信号を受信して、発言権放棄要求をＰｏＣサーバ２００へ送信することにより、当該携帯端末１００の発言権を消滅させる。この発言権放棄要求には、発言権放棄要求を識別する情報、通信相手のユーザを識別する情報あるいはグループを識別する情報が付加される。
【００２８】
付加データ送信部１６０は、付加データ記憶部１７０を参照して、発言権要求あるいは発言権放棄のときにデータの前後に付加するデータをＰｏＣサーバ２００へ送信する。
付加データ送信部１６０および付加データ記憶部１７０については後述する。
【００２９】
次に、図６において、ＰｏＣサーバ２００は、ＰｏＣサーバの機能に加えて、発言権管理部２１０、グループ管理部２２０、受信部２３０、配信部２４０とからなっている。
【００３０】
グループ管理部２２０は、当該ＰｏＣサーバ２００を使ってＰｏＣ通信をするユーザおよびグループに関する状況が登録されている。例えば、グループ管理部２２０には、ユーザごとに、ユーザ名、ユーザを識別する情報（ユーザＩＤ）、このユーザが所持する携帯端末のアドレス、このユーザが発言権を獲得しているか否かのフラグ等を記憶している。
また、グループの場合には、グループごとに、グループ名、グループを識別する情報（グループＩＤ）、このグループに属するユーザリスト（ユーザを識別する情報のリスト）を記憶している。また、このグループ管理部２２０は、ＰｏＣ通信をするに先立ってユーザおよびグループが登録されるものとする。
【００３１】
発言権管理部２１０は、携帯端末１００から発言権要求を受信して、グループ管理部２２０を参照して、発言を許可するか否かを決定し、その旨を要求元の携帯端末へ返信する。
１対１の通信の場合には、通信相手の発言権獲得フラグがオンになっているときには、発言不許可信号を要求元の携帯端末１００へ返信し、通信相手の発言権獲得フラグがオフであれば、発言許可信号を要求元の携帯端末１００へ返信する。
また、グループ通信の場合には、発言権要求に付加されていたグループＩＤに属するいずれかのユーザの発言権獲得フラグがオンになっているかを調べる。発言権獲得フラグがオンになっているユーザが誰もいなかったときには、発言許可信号を要求元の携帯端末１００へ返信する。また、発言権獲得フラグがオンになっているユーザがいるときには、発言不許可信号を要求元の携帯端末１００へ返信する。
【００３２】
また、発言権管理部２１０は、携帯端末１００から発言権放棄要求を受信して、グループ管理部２２０を参照して、この携帯端末１００のユーザの発言権獲得フラグをオフに更新する。
【００３３】
受信部２３０は、発言者の携帯端末１００からデータを受信すると、受信したデータを配信部２４０へ渡す。ここで、配信部２４０へ渡される情報は、転送するデータ、送信してきた携帯端末のアドレス、送信相手のユーザＩＤあるいはグループＩＤである。
【００３４】
配信部２４０は、１対１通信の場合には、受信部２３０から渡された送信相手のユーザＩＤからグループ管理部２２０を参照して送信先の携帯端末のアドレスを取り出し、このアドレスへデータを配信する。
また、配信部２４０は、グループ通信の場合には、グループ管理部２２０を参照して、受信部２３０から渡されたグループＩＤから、会議に参加しているユーザの携帯端末のアドレスを取り出し、送信元のアドレスのみ削除して、残りのアドレスのすべての携帯端末１００にデータを配信する。
【００３５】
次に、本発明の特徴である付加データ送信部１６０および付加データ記憶部１７０について説明する。
付加データ記憶部１７０には、付加データが１種類以上記憶されており、本システムで予め用意したものと、ユーザが用意したものとがある。
この付加データには、例えば、音声データのときには、無音のミュートデータ、あるは、ユーザに固有な音データ（例えば、ユーザに固有な呼びかけ音声“こちらＡＡＡです”や歌やメロディあるいは効果音等）、また、画像データのときには、黒の画像ミュートデータやユーザ名がわかるような画像データ、あるいは、映像データのときには、黒の映像ミュートデータやユーザに固有な映像データ（ロゴ、マーク、ビデオクリップ、アニメーション等）がある。
【００３６】
また、これらの付加データは、予め携帯端末１００に記憶されているものばかりでなく、メモリカードやネットワークを介して取り込まれて使用されたり、取り込んだ付加データを一旦付加データ記憶部１７０へ記録してから使用するようなものもある。
また、特に定められたミュートデータに対しては、このミュートデータを識別可能なコードを割り当てておき、ミュートデータの送信の代わりに、このコードを送信するようにしても構わない。
【００３７】
これらの付加データは、次の時点で通信相手あるいは会議に参加しているグループメンバに配信される。
(１)発言権要求時点：
発言権獲得部１２０で発言権を獲得したときに、付加データ送信部１６０を起動してＰｏＣサーバ２００へ付加データを送信し、同時に発言部１３０を起動する。もちろん、発言権開始時点で付加データを送信しないときには、発言部１３０がすぐに起動されて、発言データをすぐ送れるようになる。
【００３８】
付加データ送信部１６０は、付加データ記憶部１７０から付加データを取り出して、発言部１３０から発言データがはじめて送られるまで繰り返して、ＰｏＣサーバ２００へ送信する。
この付加データの取り出しは、ユーザが付加データ記憶部１７０の中から予め選択するとしてもよいし、固定的に本システムで決めておいてもよいし、あるいは、付加データ記憶部１７０に記憶された付加データをランダムに選択するようにしてもよい。また、システムで用意したデータとユーザが指定したデータをともに選定するようにしてもよい。
また、ミュートデータを送る代わりに、特定のコードを割り当てておき、このコードを送るようにしてもよい。この場合、各携帯端末１００は、このコードを受信すると、携帯端末自身をミュートする。
例えば、図７(Ａ）のように、画像データを送るときには、発言の最初の付加データとして画像のミュートデータやユーザに指定された画像データをともに送るようにしてもよい。
【００３９】
（２）発言権放棄時点：
発言権放棄部１８０で付加データ送信部１６０を起動し、付加データ送信後、発言権放棄要求をＰｏＣサーバ２００へ送信して、発言権が放棄される。もちろん、発言権放棄時点で付加データを送信しないときには、発言権放棄要求がＰｏＣサーバ２００へ送られて、発言権がすぐに放棄される。
【００４０】
付加データ送信部１６０は、付加データ記憶部１７０から付加データを取り出して、予め設定された一定時間もしくは一定周期分だけＰｏＣサーバ２００へ送信する。
この付加データの取り出しは、ユーザが付加データ記憶部１７０の中から予め選択するとしてもよいし、固定的に本システムで決めておいてもよいし、あるいは、付加データ記憶部１７０に記憶された付加データをランダムに選択するようにしてもよい。また、システムで用意したデータとユーザが指定したデータをともに選定するようにしてもよい。
また、ミュートデータを送る代わりに、特定のコードを割り当てておき、このコードを送るようにしてもよい。この場合、各携帯端末１００は、このコードを受信すると、携帯端末自身をミュートする。
例えば、図７(Ｂ）のように、映像データを送るときには、発言の最後に付加データとして映像のミュートデータやユーザに指定された映像データをともに送るようにしてもよい。
【００４１】
上記のように、付加データの送信が終了してから発言権の放棄要求をするのではなく、発言権放棄要求と同時に付加データをＰｏＣサーバ２００に送るようにしてもよい。
この場合、ＰｏＣサーバ２００では、発言権放棄要求を送ってきた携帯端末（ユーザ）の発言権を放棄するとともに、他の携帯端末１００から発言権要求がこない間は、発言権を放棄したメンバ以外のグループのすべてのメンバに付加データを配信する。他の携帯端末１００から発言権要求がきた時点で付加データの配信を停止する。このような構成とすると、他の携帯端末からの発言権要求を受け付けることが可能になる。
【００４２】
また、発言権放棄要求をＰｏＣサーバ２００に送って、発言権をまず放棄してから、その後で、付加データを予め設定された一定時間もしくは一定周期分だけＰｏＣサーバ２００へ送信するようにしてもよい。この場合、ＰｏＣサーバ２００では、発言権放棄要求を送ってきた携帯端末（ユーザ）の発言権を放棄するとともに、他の携帯端末１００から発言権要求がこない間は、付加データを受信して発言権を放棄したメンバ以外の会議に参加しているグループのすべてのメンバに、受信した付加データを配信する。他の携帯端末１００から発言権要求がきた時点で、この付加データの受信を停止するようにしてもよい。
【００４３】
（３）発言開始および発言権放棄の両時点(図７(Ｃ）参照)：
あるいは、発言権を獲得した後と発言権を放棄するときの両方で付加データを、会議に参加しているグループの他のメンバに配信するようにしてもよい。これは、上記の（１）と（２)とを組み合わせて構成する。
【００４４】
次に、図４および図５における端末Ｃが受信するデータを、図８および図９を使って説明する。
図８では、付加データ（ミュート・指定データ）を送出終了後に発言権を放棄するものとして説明する。
【００４５】
端末Ａが発言許可を受けると、端末Ａから付加データが送出され、端末Ａの実際の発言開始によって停止する。（発言権取得後、データを送るまたは会話を開始するまで、わずかでもブランクが生じる可能性もある。）
端末Ｃでは、端末Ａから送出された付加データとそれに続いたデータ（音声による発言やＴＶ電話など）が受信されて出力される。
【００４６】
次に、端末ＡのユーザはＰＴＴスイッチをオフにして発言権を放棄し、データの送出を終了する。この場合、端末Ａは、予め設定された一定時間の間、付加データ（ミュート・ユーザ固有のデータ）を送出したあと、発言権放棄要求を送るようにする。
端末Ａのユーザは、ＰＴＴスイッチをオフした時点で、発言権を放棄しているが、ＰｏＣサーバ上の発言権の放棄は付加データ送出が自動停止したのち、つまり遅延して生じる。しかし、最後尾に付加データを挿入しない場合、端末ＡのＰＴＴスイッチがオフになった時点で発言権も放棄される。
【００４７】
また、付加データを発言権放棄の前に配信するようにしたので、他の端末（Ｂ，Ｃ，Ｄ）では、先の発言者の発言が終了し、現在誰も発言権を持っていないことを知ることが可能となり、発言権要求を行う機会を容易に知ることができる。
【００４８】
図９は、発言データの前後に付加データ（ミュート・ユーザ固有データ）を継続して送出するものとして説明する。
端末Ａが発言許可を受けると、端末Ａからの付加データとそれに続いてデータ（音声による発言やＴＶ電話など）を送信し、端末Ｃではそれらのデータを受信して出力する。
次に、端末ＡのユーザはＰＴＴスイッチをＯＦＦにして発言権を放棄すると、発言権放棄要求を行うとともに、予め設定された一定時間の間、付加データ（ミュート・ユーザ固有データ）を繰返し送出する。
【００４９】
ＰｏＣサーバでは、発言権放棄処理をするとともに、付加データを発言権要求が来るまでグループの端末へ配信するので、他の端末（Ｂ，Ｃ，Ｄ）では、先の発言者の発言が終了し現在誰も発言権を持っていないことを知ることが可能であり、発言要求を行う機会を容易に知ることが出来る。そこで端末Ｂは発言権要求を行い、発言許可が下りた時点あるいは発言権要求を行った時点で、端末Ａの付加データは停止される。
【００５０】
以上のような構成によれば、複数端末による通信を行っても受信データの変わり目に不用意なデータ（映像・音声の乱れ、意図しない映像・音声など）を再生することがない。
また、発言権を放棄後に誰かが発言権要求を行うまでユーザの固有データの送出を行えば、発言権要求を行うタイミングを容易に知ることが可能である。
【００５１】
＜実施形態２＞
図１０は、本発明の実施形態２に係る通信システムの機能構成を示すブロック図である。同図において、携帯端末１００は、ＰｏＣクライアントの機能に加えて、ＰＴＴスイッチ状態検出部１１０、発言権獲得部１２０、発言部１３０、受信部１４０、出力部１５０、発言権放棄部１８０とからなっている。
また、図１０において、ＰｏＣサーバ２００は、ＰｏＣサーバの機能に加えて、発言権管理部２１０、グループ管理部２２０、受信部２３０、配信部２４０、付加データ送信部２５０、付加データ記憶部２６０とからなっている。
図１０において、図６と同じ機能については同じ符号を付し、その説明を相違点だけとする。
【００５２】
実施形態１では、追加データを発言者の携帯端末から送信するものであったが、本実施形態２では、ＰｏＣサーバが発言権の移動に伴って対象グループの携帯端末へ配信するようにした。
このため、各携帯端末のユーザは、ＰｏＣによる通信に先立って、自分自身がグループメンバから識別可能な固有の付加データ（ロゴ、マーク、ビデオクリップ、アニメーション等）を付加データ記憶部２６０へ登録しておく。
このため、付加データ記憶部２６０には、システムで予め登録した音声、画像、映像等の付加データおよびユーザが登録した付加データとをそれぞれ、付加データ識別子（付加データＩＤ）と付加データ名とを対応付けて記憶している。
また、付加データ記憶部２６０には、ユーザの識別子（ユーザＩＤ）、ユーザ名、ユーザの携帯端末のアドレスに対応付けて、ユーザが選択した付加データの識別子のリストが記憶される。
【００５３】
発言権管理部２１０は、以下の３つのいずれかのタイミングで付加データ送信部２５０を起動して、付加データを会議に参加しているグループのメンバに配信する。
【００５４】
(１)発言権要求時点：
発言権管理部２１０は、携帯端末１００から発言権要求を受信して、グループ管理部２２０を参照して、発言権要求に付加されていたグループＩＤに属するいずれかのユーザの発言権獲得フラグがオンになっているかを調べる。発言権獲得フラグがオンになっているユーザがいるときには、発言不許可信号を要求元の携帯端末１００へ返信する。
また、発言権獲得フラグがオンになっているユーザが誰もいなかったときには、発言許可信号を要求元の携帯端末１００へ返信し、付加データ送信部２５０を起動する。もちろん、発言権要求時点で付加データを送信しないときには、発言許可信号を返信するだけである。
【００５５】
付加データ送信部２５０は、付加データ記憶部２６０から付加データを取り出し、グループ管理部２２０を参照して、このユーザの属するグループ内のすべての携帯端末のアドレス、あるいは通信相手の携帯端末のアドレスを取り出し、これらのすべてのアドレスに対して取り出した付加データを配信する。
【００５６】
この付加データの取り出しは、発言権要求を送ったユーザが付加データ記憶部２６０の中から予め選択するとしてもよいし、固定的に本システムで決めておいてもよいし、あるいは、発言権要求を送ったユーザの選択した付加データをランダムに選択するようにしてもよい。また、システムで用意したデータとユーザが指定したデータをともに選定するようにしてもよい。
【００５７】
（２）発言権放棄時点：
発言権管理部２１０は、まず、携帯端末１００から発言権放棄要求を受信して、１対１の通信の場合には、グループ管理部２２０の通信相手の発言権獲得フラグをオフにし、グループ通信の場合には、発言権要求に付加されていたグループＩＤに属するいずれかのユーザの発言権獲得フラグをオフにする。この後で、付加データ送信部２５０を起動する。
付加データ送信部２５０は、付加データ記憶部２６０から付加データを取り出し、グループ管理部２２０を参照して、このユーザの属するグループ内のすべての携帯端末のアドレス、あるいは通信相手の携帯端末のアドレスを取り出し、これらのすべてのアドレスに対して取り出した付加データを、予め設定された一定時間もしくは一定周期分だけ配信する。
【００５８】
この付加データの取り出しは、発言権放棄要求を送ったユーザが付加データ記憶部２６０の中から予め選択するとしてもよいし、固定的に本システムで決めておいてもよいし、あるいは、発言権放棄要求を送ったユーザの選択した付加データをランダムに選択するようにしてもよい。また、システムで用意したデータとユーザが指定したデータをともに選定するようにしてもよい。
もちろん、発言権放棄時点で付加データを送信しないときには、付加データ送信部２５０は起動されず、発言権が放棄されるのみである。
【００５９】
また、上記のように付加データを予め設定された一定時間もしくは一定周期分だけ配信するのではなく、携帯端末１００から発言権要求がこない間は、会議に参加しているグループのすべてのメンバに付加データを配信し、携帯端末１００から発言権要求がきた時点で付加データの配信を停止するようにしてもよい。
【００６０】
（３）発言開始および発言権放棄の両時点：
あるいは、発言権要求時と発言権放棄要求時の両方で付加データを会議に参加しているグループのすべてのメンバに配信するようにしてもよい。これは、上記の（１）と（２)とを組み合わせて構成する。
【００６１】
上記のように実施形態２を構成すると、ＰｏＣ通信において、発言権要求を行うタイミングを容易に知ることができる。
また、複数の携帯端末による通信を行っても受信データの変わり目に不用意なデータ（映像・音声の乱れ、意図しない映像・音声など）を再生することがない。
【図面の簡単な説明】
【００６２】
【図１】本発明に係る通信システムのシステム構成を示す図である。
【図２】本発明に係る通信システムで用いられる携帯端末の構成を説明する図である。
【図３】携帯端末のＰＴＴスイッチを説明する図である。
【図４】ＰｏＣによって行われるグループ通信を説明する図である。
【図５】ＰｏＣ通信で、発言権獲得からデータの送信と発言権放棄のタイミングを説明する図である。
【図６】本発明の実施形態１に係る通信システムの機能構成を示すブロック図である。
【図７】ＰｏＣ通信時に送信される付加データを説明する図である。
【図８】ＰｏＣ通信時に配信されたデータを説明する図である。
【図９】ＰｏＣ通信時に配信されたデータを説明する他の図である。
【図１０】本発明の実施形態２に係る通信システムの機能構成を示すブロック図である。
【符号の説明】
【００６３】
１…アンテナ、２…無線部、３…通信制御部、４…操作部、５…記憶部、６…ＰＴＴスイッチ、７…映像処理部、８…表示部、９…音声処理部、１０…マイク、１１…スピーカ、１２…主制御部、１００…携帯端末、１１０…ＰＴＴスイッチ状態検出部、１２０…発言権獲得部、１３０…発言部、１４０…受信部、１５０…出力部、１６０…付加データ送信部、１７０…付加データ記憶部、１８０…発言権放棄部、２００…ＰｏＣサーバ、２１０…発言権管理部、２２０…グループ管理部、２３０…受信部、２４０…配信部、２５０…付加データ送信部、２６０…付加データ記憶部、３００…基地局、４００…基地局制御装置。
【図１】
2007068078.tif 000003
【図２】
2007068078.tif 000004
【図３】
2007068078.tif 000005
【図４】
2007068078.tif 000006
【図５】
2007068078.tif 000007
【図６】
2007068078.tif 000008
【図７】
2007068078.tif 000009
【図８】
2007068078.tif 000010
【図９】
2007068078.tif 000011
【図１０】
2007068078.tif 000012